(57)【要約】【課題】ガスタービンエンジンの燃焼器を管理する。【解決手段】本願の特定の実施形態は、ガスタービンエンジンの燃焼器を管理するためのシステムおよび方法に関する。一実施形態では、システムは、コンピュータ実行可能命令を格納するように構成される少なくとも１つのメモリ、および少なくとも１つのメモリにアクセスしてコンピュータ実行可能命令を実行するように構成される少なくとも１つのコントローラを含むことができる。命令は、単一のセンサーによって燃焼器の動圧力および静圧力をモニターするように構成することができる。本命令は、動圧力および静圧力に少なくとも部分的に基づいて信号を生成するようにさらに構成することができる。さらにまた、本命令は、信号に少なくとも部分的に基づいて、少なくとも燃焼器制御事象の実行を容易にするように構成することができる。【選択図】図１
2015132260.tif 000002
【特許請求の範囲】
【請求項１】
燃焼器（１６０、３２０）を管理するシステム（１００、３００）であって、
前記燃焼器（１６０、３２０）の静圧力および動圧力をモニターするように動作可能な圧力センサー（１７０、３３０）であり、前記静圧力および動圧力は前記燃焼器（１６０、３２０）の状態を示す、圧力センサー（１７０、３３０）と、
前記燃焼器（１６０、３２０）の前記静圧力および動圧力に少なくとも部分的に基づいて信号を生成するように動作可能な信号デバイス（１８０、３３５）と、
前記信号を受け取って、前記信号に少なくとも部分的に基づいて、少なくとも１つの燃焼器制御事象を容易にするように動作可能なコントローラ（１４０、３４０）と、を含むシステム（１００、３００）。
【請求項２】
前記コントローラ（１４０、３４０）は、前記信号を所定のしきい値と比較するようにさらに動作可能である、請求項１に記載のシステム（１００、３００）。
【請求項３】
前記燃焼器（１６０、３２０）の前記状態は、前記燃焼器（１６０、３２０）の火炎状態または前記燃焼器（１６０、３２０）の健全性評価の少なくとも一方を含む、請求項１に記載のシステム（１００、３００）。
【請求項４】
前記少なくとも１つの燃焼器制御事象は、前記燃焼器（１６０、３２０）の点火を含む、請求項１に記載のシステム（１００、３００）。
【請求項５】
前記コントローラ（１４０、３４０）は、それぞれの複数の信号デバイス（１８０、３３５）から複数の信号を受け取るようにさらに動作可能である、請求項１に記載のシステム（１００、３００）。
【請求項６】
前記コントローラ（１４０、３４０）は、イグナイタ、コンプレッサ（１１０）、燃料システム（１５０、３１０）、または発電機（１３０）の少なくとも１つに前記信号を送信するようにさらに動作可能である、請求項１に記載のシステム（１００、３００）。
【請求項７】
前記圧力センサー（１７０、３３０）は、２重圧力型センサーを含む、請求項１に記載のシステム（１００、３００）。
【請求項８】
燃焼器（１６０、３２０）を管理する方法（２００）であって、
前記燃焼器（１６０、３２０）と関係するセンサー（１７０、３３０）によって、前記燃焼器（１６０、３２０）の状態を示す前記燃焼器（１６０、３２０）の動圧力をモニターするステップ（２１０）と、
前記センサー（１７０、３３０）によって、前記燃焼器（１６０、３２０）の前記状態を示す前記燃焼器（１６０、３２０）の静圧力をモニターするステップ（２３０）と、
前記動圧力および前記静圧力に少なくとも部分的に基づいて、信号を生成するステップ（２５０）と、
前記信号に少なくとも部分的に基づいて、少なくとも１つの燃焼器制御事象を容易にするステップ（２７０）と、を含む方法（２００）。
【請求項９】
前記動圧力または前記静圧力の少なくとも一方を所定のしきい値と比較するステップをさらに含む、請求項８に記載の方法（２００）。
【請求項１０】
前記コントローラ（１４０、３４０）は、イグナイタ、コンプレッサ（１１０）、燃料システム（１５０、３１０）、または発電機（１３０）の少なくとも１つに前記信号を送信するステップをさらに含む、請求項８に記載の方法（２００）。
【請求項１１】
静圧力をモニターするステップは、２重圧力型センサーにより前記燃焼器（１６０、３２０）をモニターするステップを含む、請求項８に記載の方法（２００）。
【請求項１２】
少なくとも１つの燃焼器制御事象を容易にするステップは、前記燃焼器（１６０、３２０）の点火を含む、請求項８に記載の方法（２００）。
【請求項１３】
複数の信号を生成するステップをさらに含む、請求項８に記載の方法（２００）。
【請求項１４】
燃焼器（３２０）を管理するシステム（３００）であって、前記システム（３００）は、
少なくとも１つのプロセッサ（３４３）と、
コンピュータ可読命令を格納する少なくとも１つのメモリ（３５０）と、を含み、
前記少なくとも１つのプロセッサ（３４３）は、前記少なくとも１つのメモリ（３５０）にアクセスして、前記コンピュータ可読命令を実行するように動作可能であり、前記コンピュータ可読命令は、
前記燃焼器（３２０）と関係するセンサー（３３０）によって、前記燃焼器（３２０）の状態を示す前記燃焼器（３２０）の動圧力をモニターし、
前記センサー（３３０）によって、前記燃焼器（３２０）の前記状態を示す前記燃焼器（３２０）の静圧力をモニターし、
前記動圧力および前記静圧力に少なくとも部分的に基づいて、信号を生成し、
前記信号に少なくとも部分的に基づいて、少なくとも１つの燃焼器制御事象を容易にするように動作可能であるシステム（３００）。
【請求項１５】
前記コンピュータ可読命令は、前記動圧力または前記静圧力の少なくとも一方を所定のしきい値と比較するようにさらに動作可能である、請求項１４に記載のシステム（３００）。
【請求項１６】
前記コンピュータ可読命令は、イグナイタ、コンプレッサ（１１０）、燃料システム（３１０）、または発電機（１３０）の少なくとも１つに前記信号を送信するようにさらに動作可能である、請求項１４に記載のシステム（３００）。
【請求項１７】
前記コンピュータ可読命令は、前記燃焼器（３２０）の燃料供給の変化を容易にするようにさらに動作可能である、請求項１４に記載のシステム（３００）。
【請求項１８】
前記少なくとも１つの燃焼器制御事象は、前記燃焼器（３２０）の点火を含む、請求項１４に記載のシステム（３００）。
【請求項１９】
前記コンピュータ可読命令は、複数の信号を生成するようにさらに動作可能である、請求項１４に記載のシステム（３００）。
【請求項２０】
前記コンピュータ可読命令は、２重圧力型センサーを用いて前記燃焼器（３２０）をモニターするようにさらに動作可能である、請求項１４に記載のシステム（３００）。
【発明の詳細な説明】
【技術分野】
【０００１】
本開示の実施形態は、一般的にはガスタービンシステムの燃焼器に関し、特に、ガスタービンシステムの燃焼器を管理するためのシステムおよび方法に関する。
【背景技術】
【０００２】
ガスタービンエンジンでは、燃焼器の状態を管理しモニターするために、燃焼計測が用いられる。それらの状態の現状および変化を決定するために、温度用および圧力用センサーを含む複数のセンサーが用いられる。燃焼計測のいくつかは、動圧力センサー、静圧力センサー、火炎検出器、および排気熱電対を有する排気拡散モニターを含むことができる。これらの多くの異なる構成要素が燃焼器の状態の測定を提供する。しかし、これらの構成要素の各々は劣化および故障しやすく、そのために各構成要素は保守および／または交換が必要となり得る。排気ダクトの極めて厳しい状態にさらされる特定の構成要素は、統計的に、タービンが利用できない動作時間の顕著な原因となる故障に特になりやすい。また、燃焼器をモニターするために現在必要な多くの構成要素は、全ての構成要素を収納するシステム内にそれぞれのスペースを必要とすることがあり得る。このスペースは、他の目的のためにより良く用いられる可能性がある。さらにまた、比較的高い数の構成要素に対する現在の必要性は、特定の構成要素の初期コスト、保守、および交換コストのために比較的高価になり得る。
【先行技術文献】
【特許文献】
【０００３】
【特許文献１】米国特許第８，４５６，６３４号明細書
【発明の概要】
【０００４】
上記のニーズおよび／または問題のいくつかまたは全ては、本開示の特定の実施形態によって対処することができる。特定の実施形態は、ガスタービンシステムの燃焼器を管理するためのシステムおよび方法を含むことができる。本開示の一実施形態により、システムが開示される。システムは、燃焼器の静圧力および動圧力をモニターするように動作可能な圧力センサーを含むことができる。これらの圧力は、燃焼器の状態を示すことができる。システムは、燃焼器の圧力に少なくとも部分的に基づいて、信号を生成するように動作可能なデバイスを含むこともできる。信号はコントローラが受け取ることができ、信号に少なくとも部分的に基づいて、コントローラは少なくとも１つの燃焼器事象を容易にするように動作可能とすることができる。
【０００５】
本開示の別の実施形態により、方法が開示される。本方法は、燃焼器の動圧力および静圧力を、両方とも単一のセンサーによってモニターするステップを含むことができる。動圧力および静圧力は、燃焼器の状態を示すことができる。また本方法は、動圧力および静圧力に少なくとも部分的に基づいて、信号を生成するステップを含むこともできる。さらにまた、本方法は、信号に少なくとも部分的に基づいて、少なくとも１つの燃焼器制御事象を容易にするステップを含むことができる。
【０００６】
本開示の別の実施形態により、システムが開示される。システムは、コンピュータ実行可能命令を格納するように構成される少なくとも１つのメモリ、および少なくとも１つのメモリにアクセスしてコンピュータ実行可能命令を実行するように構成される少なくとも１つのコントローラを含むことができる。本命令は、燃焼器の動圧力および静圧力を、両方とも単一のセンサーによってモニターするように構成することができ、動圧力および静圧力は燃焼器の状態を示すことができる。本命令は、動圧力および静圧力に少なくとも部分的に基づいて信号を生成するようにさらに動作可能とすることができる。さらにまた、本命令は、信号に少なくとも部分的に基づいて、少なくとも１つの燃焼器制御事象の実行を容易にするように動作可能とすることができる。
【０００７】
本開示の他の実施形態、システム、方法、態様、および特徴は、以下の詳細な説明、添付の図面、および添付の請求の範囲から当業者に明らかになろう。
【０００８】
詳細な説明では添付の図面を参照するが、それは必ずしも一定の比率で描かれているわけではない。異なる図面における同一符号の使用は、類似または同一の項目を示す。
【図面の簡単な説明】
【０００９】
【図１】本開示の一実施形態による、ガスタービンの燃焼器を管理する例示的システムを示す図である。
【図２】ガスタービンの燃焼器を管理するための例示的方法のフローチャートである。
【図３】本開示の一実施形態による、例示的なガスタービン燃焼器管理システムを表す例示的機能ブロック図である。
【発明を実施するための形態】
【００１０】
以下では、本開示の例示的実施形態について、添付の図面を参照してより完全に説明する。図面には、本開示の全ての実施形態ではないが、いくつかの実施形態を示す。本開示は多くの異なる形式で具現化することができ、本明細書に記載された実施形態に限定されるものと解釈してはならない。むしろ、本開示が適用可能な法的要件を満たすように、これらの実施形態が提供される。
【００１１】
本明細書に開示される特定の実施形態は、燃焼器動作を管理することに関する。したがって、システムは、ガスタービンエンジンの燃焼器を管理するために提供することができる。例えば、システムは静圧力および動圧力をモニターするように動作可能なセンサーを含むことができ、圧力は燃焼器の状態を示すことができる。システムは、燃焼器の静圧力および動圧力に少なくとも部分的に基づいて、信号を生成するように動作可能な信号デバイスを含むこともできる。システムは、信号を受け取って、信号に少なくとも部分的に基づいて、少なくとも１つの燃焼器制御事象を容易にするように動作可能なコントローラをさらに含むことができる。本明細書の特定の実施形態と関係する１つまたは複数の技術的な効果は、これに限定されないが、単一のセンサーによる静圧力および動圧力の両方のモニタリングおよび検出を含むことができる。タービン内の構成要素の数を減らすことによって、燃焼器のより効果的な管理を可能にすることに加えて、構成要素の保守および交換の対応する減少を達成することができる。
【００１２】
図１は、タービンの燃焼器を管理するのを容易にする例示的システム１００を示す。本開示の一実施形態によれば、システム１００は、燃焼器１６０の静圧力および動圧力の両方をモニターするように動作可能な圧力センサー１７０を含むことができる。燃焼器１６０の静圧力および動圧力は、燃焼器１６０の状態を示すことができる。システム１００は、燃焼器１６０の圧力に少なくとも部分的に基づいて、信号を生成するように動作可能な信号デバイス１８０を含むこともできる。システム１００は、信号を受け取って、信号に少なくとも部分的に基づいて、少なくとも１つの燃焼器制御事象を容易にするように動作可能なコントローラ１４０をさらに含むことができる。
【００１３】
続けて図１を参照すると、本開示の一実施形態では、コントローラ１４０は、信号を所定のしきい値と比較するようにさらに動作可能とすることができる。特定の事例では、所定のしきい値は、時間間隔にわたる圧力のプロファイルを含むことができる。プロファイルは予想される圧力を含むことができ、それは燃焼器１６０の測定された圧力を含むことができる。プロファイルは、燃焼器１６０の火炎状態のブローアウトまたは損失に先行する状態の有無の表示を提供することができる。例えば、個々の燃焼器１６０は、燃焼器１６０の火炎状態のブローアウトまたは損失を予測または予想するために用いることができる時間間隔にわたって、圧力の特徴的で反復可能で観測可能な変化を示すことができる。一実施形態では、燃焼器１６０の状態は、例えば燃焼器１６０の火炎が点火されているか、どのくらいの強度で点火されているかという、燃焼器１６０の火炎状態を含むことができる。燃焼器１６０の状態は、保炎、希薄なブローアウト、缶ブローアウト、および缶対缶のばらつきを含むこともできる。その状態は缶の健全性の評価とすることができ、さらに単一の２重圧力センサー１７０以外の構成要素を不要にする。さらに別の実施様態では、センサー１７０は２重圧力型センサーとすることができ、静圧力を含む圧力を測定する際に容易にする音響制動コイルをタップすることができる。
【００１４】
一実施形態では、少なくとも１つの燃焼器制御事象は、燃焼器１６０の点火を含むことができる。例えば、火炎オフ状態がセンサー１７０によって検出された場合に、点火を起動することができる。それから、センサー１７０は、信号デバイス１８０に対して、静圧力および動圧力の測定に少なくとも部分的に基づいて信号を生成させることができ、そして、コントローラ１４０に対して信号を送信し、あるいはコントローラ１４０により信号が検出され得るようにすることができる。いくつかの実施形態では、センサー１７０は信号デバイス１８０を含むことができる。さらに別の実施形態では、信号デバイス１８０は、複数の信号を生成するように動作可能であってもよい。複数の信号は、コントローラ１４０によって全て受信されてもよく、または検出可能であってもよく、異なる時間間隔で、例えば複数の時間間隔で燃焼器１６０の状態を示すことができる。さらに別の実施形態では、コントローラ１４０は、イグナイタ、コンプレッサ１１０、燃料システム、または発電機１３０の１つまたは複数に対して信号を送信するように動作可能であってもよい。それらの送信先は、タービン１２０および／またはシステム１００の管理を支援することができる。例えば、イグナイタは燃焼器１６０の点火を容易にすることができ、それはコントローラ１４０、燃料システム、および燃料供給１５０の間の通信を含むこともできる。
【００１５】
望むように、本開示の実施形態は、図１に示すものより多くのまたはより少ない構成要素を有するシステム１００を含むことができる。さらに、システム１００の特定のコンポーネントを本開示の様々な実施形態に組み込むことができる。図１のシステム１００は例示として提供するにすぎない。
【００１６】
ここで図２を参照して、本開示の例示的実施形態による、ガスタービンエンジンの燃焼器を管理するための例示的方法２００のフローチャートを示す。例えば図１に示すシステム１００などの様々なシステムに関係して、方法２００を用いることができる。
【００１７】
方法２００は、ブロック２１０から始まることができる。ブロック２１０で、例えばセンサー１７０などのセンサーは、燃焼器１６０の動圧力をモニターすることができる。動圧力は燃焼器１６０の状態を示すことができ、燃焼器１６０または缶ごとにセンサー１７０を設けることができる。
【００１８】
ブロック２３０で、センサー１７０は、燃焼器１６０の静圧力をモニターすることもできる。静圧力は、燃焼器１６０の状態を示すことができる。センサー１７０は、単一の時間に動圧力および静圧力の両方をモニターするように動作可能な２重圧力型センサーであってもよく、センサー１７０はいずれかの圧力を別々にモニターしてもよい。一実施様態では、センサー１７０は２重圧力型センサーとすることができ、静圧力を含む圧力を測定する際に容易にする音響制動コイルをタップすることができる。さらに別の実施形態では、方法２００は、動圧力または静圧力の少なくとも１つを所定のしきい値と比較するステップを含むことができる。所定のしきい値は、例えばメモリ３５０などに局所的に格納されてもよいし、あるいは、離れて格納されて、ネットワーク３６０を通してコントローラ３４０によってアクセスされてもよい。
【００１９】
次に、ブロック２５０で、方法２００は、動圧力および静圧力に少なくとも部分的に基づいて、信号を生成するステップを含むことができる。信号は、例えば信号デバイス１８０などの信号デバイスによって生成することができ、信号は静圧力および動圧力以外の情報を含んでもよい。さらに別の実施形態では、信号デバイス１８０は、例えば異なる時間間隔における複数の信号などの複数の信号を生成するように動作可能であってもよい。
【００２０】
次に、ブロック２７０では、方法２００は、信号に少なくとも部分的に基づいて、少なくとも１つの燃焼器制御事象を容易にするステップを含むことができる。事象は例えばコントローラ１４０などのコントローラによって容易にすることができ、信号は静圧力および動圧力に少なくとも部分的に基づくことができる。制御事象は、システム１００のデバイスの動作を容易にすることを含むことができる。一実施形態では、制御事象は、燃焼器１６０の点火を含んでもよい。一実施形態では、信号はシステム１００の別のデバイスに送信されてもよいし、あるいは、システム１００の外部に送信されてもよい。例えば、信号は、イグナイタ、例えば吸気口／コンプレッサ１１０などのコンプレッサ、燃料システム、および例えば発電機１３０などの発電機に送信されてもよい。
【００２１】
図２の方法２００は、ブロック２７０の後に任意に終了することができる。
【００２２】
図２の方法２００に記載し図示する動作は、本開示の様々な実施形態で要求されるように、任意の好適な順序で実施または実行することができ、方法２００は任意の回数で繰り返すことができる。さらに、特定の実施形態では、動作の少なくとも一部を並列に実行することができる。例えば、ブロック２１０およびブロック２３０は、単一の時間に実行することができる。さらにまた、特定の実施形態では、図２に記載した動作より少ない、またはそれより多くの動作を実行することができる。
【００２３】
ここで図３を参照して、燃焼器の管理を容易にするように動作可能な１つの例示的システム３００のブロック図を示す。本開示の一実施形態によれば、システム３００は、コントローラ３４０と関係する制御モジュール３５６を含むことができる。制御モジュール３５６は、図１のシステム１００のような燃焼器管理システムの圧力センサー３３０と関係する信号をモニターするように構成することができる。システム３００のいくつかの実施形態では、圧力センサー３３０は、燃焼器３２０の動圧力および静圧力の両方をモニターするように動作可能であってもよい。動圧力および静圧力は、燃焼器３２０の状態を示すことができる。一実施様態では、センサーは２重圧力型センサーとすることができ、静圧力を含む圧力を測定する際に容易にする音響制動コイルをタップすることができる。動圧力および静圧力に少なくとも部分的に基づいて、信号デバイス３３５は信号を生成するように動作可能とすることができる。信号に少なくとも部分的に基づいて、少なくとも１つの燃焼器制御事象はシステム３００によって容易にすることができる。さらに別の実施形態では、制御モジュール３５６は、動圧力または静圧力の少なくとも１つを所定のしきい値と比較するように動作可能とすることができる。一実施形態では、制御モジュール３５６は、イグナイタ、コンプレッサ、燃料システム、または発電機の少なくとも１つに対する信号の送信を容易にするように動作可能とすることができる。例えば、制御モジュール３５６は、燃焼器３２０の燃料供給３１０の変化を容易にすることができる。さらに別の実施形態では、制御モジュール３５６は、燃焼器３２０の点火を容易にするように動作可能であってもよい。さらに別の実施形態では、制御モジュール３５６は、例えば異なる時間間隔における複数の信号を生成するように動作可能であってもよい。
【００２４】
コントローラ３４０は、とりわけ、燃焼器の管理を容易にすることができる任意の数の好適なコンピュータ処理構成要素を含むことができる。コントローラ３４０に組み込むことができる好適な処理デバイスの例としては、パーソナルコンピュータ、タブレット型コンピュータ、ウェアラブルコンピュータ、個人情報機器、携帯電話、特定用途向け回路、マイクロコントローラ、ミニコンピュータ、およびその他のコンピューティングデバイスなどが挙げられるが、これらに限定されるものではない。このように、コントローラ３４０は、コンピュータ可読命令の実行を容易にする任意の数のプロセッサ３４３を含むことができる。コンピュータ可読命令を実行することによって、コントローラ３４０は、燃焼器の管理を容易にする専用コンピュータまたは特定の機械を含むことができ、または形成することができる。
【００２５】
１つまたは複数のプロセッサ３４３の他に、コントローラ３４０は、１つまたは複数のメモリデバイス３５０、および／または１つまたは複数の通信および／またはネットワーク・インターフェース３４６を含むことができる。１つまたは複数のメモリ３５０は、例えば、キャッシュ、読み出し専用メモリデバイス、ランダム・アクセス・メモリデバイス、磁気記憶デバイスなどの任意の好適なメモリデバイスを含むことができる。１つまたは複数のメモリ３５０は、例えば、少なくとも１つの制御モジュール３５６およびオペレーティングシステム（「Ｏ／Ｓ」）３５３などの、コントローラ３４０によって用いられる実行可能命令および／または様々なプログラムモジュールとともに、燃焼器、燃料、および圧力データを格納することができる。１つまたは複数のメモリ３５０は、これらに限らないが、コントローラ３４０、ネットワーク３６０、燃料供給３１０、圧力センサー３３０、および信号デバイス３３５の間の通信を含む、コントローラ３４０の動作を容易にする任意の好適なデータおよびアプリケーションを含むことができる。特定の実施形態では、１つまたは複数のメモリ３５０は、燃焼器管理の履歴を格納するようにさらに動作可能であってもよい。Ｏ／Ｓ３５３は、コントローラ３４０の一般的な動作を容易にし、および／または制御する実行可能命令および／またはプログラムモジュールを含むことができる。
【００２６】
さらに、Ｏ／Ｓ３５３は、例えば制御モジュール３５６などの他のソフトウェアプログラムおよび／またはプログラムモジュールのプロセッサ３４３による実行を容易にすることができる。制御モジュール３５６は、コントローラ３４０の外部の対象物と通信できるように構成される対応するハードウェア能力を有する好適なソフトウェアモジュールであってもよい。制御モジュール３５６は、燃焼器の管理を容易にするための１つまたは複数のプログラムモジュールを含んでもよい。例えば、制御モジュール３５６は、ネットワーク・インターフェース３４６およびネットワーク３６０を介して、圧力センサー３３０、信号デバイス３３５、および燃料供給３１０と通信することができる。制御モジュール３５６は、信号デバイス３３５からの信号に少なくとも部分的に基づいて、燃料供給３１０の操作を容易にするようにさらに動作可能であってもよい。
【００２７】
望むように、本開示の実施形態は、図３に示すものより多くのまたはより少ない構成要素を有するシステム３００を含むことができる。さらに、システム３００の特定のコンポーネントを本開示の様々な実施形態に組み込むことができる。図３のシステム３００は例示として提供するにすぎない。
【００２８】
現在最も実際的で様々な実施形態であると考えられるものに関して本開示を記載しているが、本開示は開示された実施形態に限定されるものではなく、逆に、添付した特許請求の範囲の趣旨および範囲内に含まれる様々な変更および等価な構成を包含することを意図していることを理解すべきである。
【００２９】
この明細書は、本開示を開示するために実施例を用いており、最良の形態を含んでいる。また、いかなる当業者も本開示を実施することができるように実施例を用いており、任意のデバイスまたはシステムを製作し使用し、任意の組み込まれた方法を実行することを含んでいる。本開示の特許され得る範囲は、請求項において定義され、当業者が想到する他の実施例を含むことができる。このような他の実施例が請求項の字義通りの文言と異ならない構造要素を有する場合、または、それらが請求項の字義通りの文言と実質的な差異がない等価な構造要素を含む場合には、このような他の実施例は特許請求の範囲内であることを意図している。
【００３０】
これらのコンピュータ実行可能プログラム命令は、特定の機械を生産するために、汎用コンピュータ、専用コンピュータ、プロセッサ、または他のプログラム可能なデータ処理装置にロードすることができて、そのようにして、コンピュータ、プロセッサ、または他のプログラム可能なデータ処理装置で実行する命令が、フローチャートの１つまたは複数のブロックで指定される１つまたは複数の機能を実現するための手段を生成する。これらのコンピュータプログラム命令は、コンピュータまたは他のプログラム可能なデータ処理装置を特定の方法で機能するように命令することができるコンピュータ可読メモリに格納することもできて、そのようにして、コンピュータ可読メモリに格納された命令がフローチャートの１つまたは複数のブロックで指定される１つまたは複数の機能を実現する命令手段を含む製品を生産する。例えば、本開示の実施形態は、そこで具現化されるコンピュータ可読プログラムコードまたはプログラム命令を有するコンピュータ使用可能媒体を含むコンピュータプログラム製品を提供することができて、前記コンピュータ可読プログラムコードは、フローチャートの１つまたは複数のブロックで指定される１つまたは複数の機能を実現するために実行されるように適合する。コンピュータプログラム命令は、一連の演算要素またはステップをコンピュータまたは他のプログラム可能な装置で実行させてコンピュータ実行処理を生成するために、コンピュータまたは他のプログラム可能なデータ処理装置にロードすることもできて、そのようにして、コンピュータまたは他のプログラム可能な装置で実行する命令がフローチャートの１つまたは複数のブロックで指定される機能を実現するための要素またはステップを提供する。
【００３１】
したがって、ブロック図およびフローチャートのブロックは、指定された機能を実行するための手段の組み合わせ、指定された機能を実行するための要素またはステップの組み合わせ、および指定された機能を実行するためのプログラム命令手段をサポートする。ブロック図およびフローチャートの各ブロック、ならびにブロック図およびフローチャートのブロックの組み合わせが、指定された機能、要素、もしくはステップを実行する専用のハードウェアベースのコンピュータシステム、あるいは専用ハードウェアおよびコンピュータ命令の組み合わせによって実現することができることもまた理解されよう。
【符号の説明】
【００３２】
１００  システム
１１０  吸気口／コンプレッサ
１２０  タービン
１３０  発電機
１４０  コントローラ
１５０  燃料供給
１６０  燃焼器
１７０  圧力センサー
１８０  信号デバイス
２００  方法
２１０  ブロック
２３０  ブロック
２５０  ブロック
２７０  ブロック
３００  システム
３１０  燃料供給
３２０  燃焼器
３３０  圧力センサー
３３５  信号デバイス
３４０  コントローラ
３４３  プロセッサ
３４６  ネットワーク・インターフェース
３５０  メモリ
３５３  オペレーティングシステム（Ｏ／Ｓ）
３５６  制御モジュール
３６０  ネットワーク
【図１】
2015132260.tif 000003
【図２】
2015132260.tif 000004
【図３】
2015132260.tif 000005